(57)【特許請求の範囲】
【請求項１】
電気的な差し込みコネクタであって、第１の差し込み結合部（１２）及び第２の差し込み結合部（１３）を備えており、差し込み結合部（１２，１３）が軸線に沿った差し込み方向で互いに分離可能に連結されており、第１の差し込み結合部（１２）のケーシング（１４）内に形成された受容シャフト（２４）を備えており、受容シャフト内に、両方の差し込み結合部（１２，１３）の連結に際して第２の差し込み結合部（１３）から突出するつば（２６）が少なくとも部分的に係合しており、第１の差し込み結合部（１２）に支承されたシール（２７）を備えており、シールが両方の差し込み結合部（１２，１３）の連結に際してつば（２６）によって弾性的に変形させられるようになっている形式のものにおいて、受容シャフト（２４）内に差し込み方向に対して横方向で半径方向へ突出する少なくとも１つの第１のプレス部材（３１）を設けてあり、該プレス部材が両方の差し込み結合部（１２，１３）の連結に際して半径方向でつば（２６）の側面（２９）に圧着されるようになっており、受容シャフト（２４）内に少なくとも１つの第２のプレス部材（３２）を支承してあり、該プレス部材が両方の差し込み結合部（１２，１３）の連結行程の終端で軸線方向に向けられたプレス応力下でつば（２６）の端面（３４）を受容しており、第１のプレス部材（３１）は、第１の差し込み結合部（１２）のケーシング（１４）の一部分としての接点支持体（１５）と一体であり、形状安定的なプラスチックから成っていることを特徴とする、電気的な差し込みコネクタ。
【請求項２】
第１のプレス部材（３１）が接点支持体（１５）に環状に形成されている請求項１記載の差し込みコネクタ。
【請求項３】
第１のプレス部材（３１）が接点支持体（１５）の周方向で部分的に中断されていて、個別のプレス領域を形成しており、プレス領域が選択的に個別のプレス点を除いて引っ込めて形成されている請求項１記載の差し込みコネクタ。
【請求項４】
第２のプレス部材（３２）が受容シャフト（２４）の閉じた端部に支承されていて、接点支持体（１５）内を環状に延びるリングとして形成されており、該リングが少なくとも６０ショア硬さの硬質弾性材料から成っている請求項１から３のいずれか１項記載の差し込みコネクタ。
【請求項５】
第２のプレス部材（３２）が硬質ゴムから形成されている請求項４記載の差し込みコネクタ。
【発明の詳細な説明】
【０００１】
本発明は、請求項１の上位概念に記載の形式の電気的な差し込みコネクタに関する。ドイツ連邦共和国特許第４１１５１１９Ｃ２号明細書により公知の電気的な差し込みコネクタは２つの差し込み結合部を備えており、該差し込み結合部が互いに分離可能に結合されている。
【０００２】
第１の差し込み結合部が接点支持体を有しており、接点支持体内に受容室が形成されており、受容室内にそれぞれ１つの接点部材を支承してある。接点部材がそれぞれ接続区分を介してケーブルに接続されている。ケーブルが束ねられたワイヤハーネスとして第１の差し込み結合部の後ろ側から導き出されている。接点部材の接点区分が、差し込みコネクタを閉じた場合に第２の差し込み結合部の対応する接点部分に導電的に結合される。
【０００３】
差し込みコネクタの差し込み結合部間の密閉のために、第１の差し込み結合部の接点支持体の外側に弾性的な材料から成る環状のシールリングから成っており、シールリングが両方の差し込み結合部の組み立てに際して第２の差し込み結合部のスリーブ状のつばによって係合されて、変形させられて弾性的に後退する。
【０００４】
前記形式の差し込みコネクタを自動車内に使用すると、差し込みコネクタは自動車の運転に際して振動によって負荷され、両方の差し込み結合部がシールを介して弾性的に連結されているので、両方の差し込み結合部間の相対運動が生じる。このような相対運動は、第１の差し込み結合部の接点部材と第２の差し込み結合部の接点部分の間でも生じて、接点部材及び接点部分の互いに接する接触面を摩擦させることになる。従って、差し込みコネクタの確実な接触がもはや保証されない。これによって差し込みコネクタの機能が不都合に損なわれることになる。
【０００５】
発明の利点
請求項１の特徴を有する本発明に基づく差し込みコネクタにおいては利点として、公知技術の前述の欠点が避けられる。
【０００６】
このために第１の差し込み結合部に、シール部材に対して付加的に第１のプレス部材(Presselement)を設けてあり、該プレス部材が半径方向で対向プラグのつばに圧着されるようになっており、さらに第２のプレス部材を取り付けてあり、該プレス部材が両方の差し込み結合部の連結行程の終端で軸線方向に向けられたプレス応力下でつばの端面を受容している。このようなプレス部材によって、公知技術において機能のために必要な変形性に基づき必然的に生じる運動遊びが、排除される。これによって、両方の差し込み結合部が、一体構造のものであるかのような振る舞いを行う。このような作用は、固着された差し込み結合部内に支承された接点部材及び接点部分にも及び、従って接点部材と接点部分との結合が安定的に実施される。
【０００７】
差し込み結合部のこのような構成によって、接点部材及び接点部分に生じる振動負荷が、差し込みコネクタの機能をもうはや損なうことのない程度に減少される。
【０００８】
従属項に本発明の実施のための有利な手段が記載してある。
【０００９】
実施例の説明
図１、２に示す電気的な差し込みコネクタ１１は、第１の差し込み結合部１２及び第２の差し込み結合部１３を有している。第１の差し込み結合部１２は移動可能なケーブル組み込み結合部として形成されているのに対して、第２の差し込み結合部１３は接続プラグとして電気的な装置、特にディーゼル噴射ポンプに不動に取り付けられている。差し込み結合部１２，１３は互いに分離可能に連結されている。
【００１０】
第１の差し込み結合部１２は、つかみシェルとして形成されたケーシング１４を有しており、該ケーシングが内側を接点支持体１５として形成されている。接点支持体１５は残りのケーシング１４と同じく電気絶縁性のプラスチックから成っていて、第１の差し込み結合部１２の極数に相応する数の受容室１６を含んでおり、該受容室は接点支持体１５を軸線方向に矢印１７に沿って貫通している。各受容室１６内には矢印１７の方向で、概略的に示す接点部材１８が挿入されている。
【００１１】
接点部材１８は一方の端部側に接点区分１９を有しており、該接点区分が第２の差し込み結合部１３の対応する接点部分２１と接続されている。接点部材１８の他方の端部が固定区分２２として形成されており、該固定区分に電気的なケーブル２３を当接させて電気的に接続してあり、該ケーブルが接点支持体１４の外側で別の接点部材のケーブルに接続されている。
【００１２】
ケーシング１４の一部分としての接点支持体１５内に、両方の差し込み結合部１２，１３の組み立てに際して第２の差し込み結合部１３の対応するつば２６の端部区分の受容のための軸線方向に向けられた環状の受容シャフト２４が形成されている。差し込みコネクタ１１の差し込み結合部１２，１３間の密閉のために、接点支持体１５にシール２７が配置されている。シール２７は、半径方向シールの形成のために半径方向に向けられて互いに軸線方向で隔てられた環状の複数のシールリップ２８を有している。
【００１３】
両方の差し込み結合部１２，１３の組み立ての際に、シールリップ２８が第２の差し込み結合部１３のスリーブ状のつば２６によって係合され、つば２６の側面２９で部分的に、軸線方向で矢印１７と逆向きにばね弾性的に変形される。これによって、両方の差し込み結合部１２，１３がシール２７を用いて互いに密閉されている。
【００１４】
シール２７は機能的に必要な変形性に基づき柔らかい弾性的な材料から成っていて従って、連結された差し込み結合部１２，１３間の不都合な相対運動を差し込みコネクタ１１の振動負荷並びに両方の差し込み結合部１２，１３の異なる質量に基づき防止できない。
【００１５】
差し込み結合部１２，１３を振動負荷下でも互いに堅く連結するために、第１のプレス部材３１並びに第２のプレス部材３２が設けられている。第１のプレス部材３１は、形状安定的なプラスチックから成る接点支持体１５の環状の隆起部として形成されていて、接点支持体と一体である。この場合、第１のプレス部材は接点支持体１５の側壁３３から半径方向に向けられて受容シャフト２４内へ部分的に突出していて、受容部２４内へのつば２６の挿入に際して半径方向でつば２６の端部区分の側面２９に圧着される。
【００１６】
選択的に第１のプレス部材３１は周方向で部分的に中断されていて、個々のプレス領域を形成していてよく、この場合、プレス領域は個々のプレス点、いわゆるプレス突起を除いて引っ込めて形成されていてよい。
【００１７】
第２のプレス部材３２が受容シャフト２４の閉じられた端部に支承されていて、横断面方形の環状のリングとして形成されている。第２のプレス部材３２は硬質ゴムから成っていて、少なくとも６０ショア硬さを有している。第２のプレス部材３２は両方の差し込み結合部１２，１３の連結行程の終端で、つば２６の自由端部の端面３４を軸線方向のプレス応力下で受容している。
【００１８】
両方の差し込み結合部１２，１３がプレス部材３１，３２によって軸線方向でも半径方向でも互いに緊締されている。これによって両方の差し込み結合部１２，１３が一体的なユニットを形成しているものの、該ユニットは必要に応じて分離可能である。一体性が、差し込み結合部１２，１３内に支承された接点部材１８及び接点部分２１にも達成され、接点部材と接点部分との結合（接続）が同様に固定的に行われる。
【００１９】
接点部材１８と接点部分２１とのこのような安定的な結合によって、差し込みコネクタ１１に生じる振動負荷の際の接点部材１８と接点部分２１との間の機能障害を伴うような相対運動が、危険のない程度に抑制され、その結果、差し込みコネクタ１１が不利な運転条件下でも安定した機能を維持できる。従って、差し込みコネクタ１１を直接に内燃機関の装置に取り付けることができる。
【図面の簡単な説明】
【図１】  第１の差し込み結合部と第２の差し込み結合部とを連結して成る電気的な差し込みコネクタの部分的な断面図。
【図２】  図１の部分拡大図。
【符号の説明】
１１  差し込みコネクタ、    １２，１３  差し込み結合部、    １４  ケーシング、    １５  接点支持体、    １６  受容室、    １８  接点部材、    １９  接点区分、    ２１  接点部分、    ２２  固定区分、    ２３  ケーブル、    ２４  受容シャフト、    ２６  つば、    ２７  シール、    ２８  シールリップ、    ３１，３２  プレス部材、    ３３  側壁
【図１】
0004763212.tif 000002
【図２】
0004763212.tif 000003